(57)【要約】【課題】著作権保護に関する情報の変化点をチャプタ分割に利用する。【解決手段】電子すかし（ＷＭ）またはコピー制御情報（ＣＣＩ）を特定マークとする。この特定マーク（ＷＭ／ＣＣＩ）が付いたビデオ／オーディオデータを含むデジタルコンテンツの記録または再生中に、前記特定マークの有無の変化点を検出する（ＳＴ１８ａ）。そして、検出された前記特定マークの変化点で前記デジタルコンテンツの再生範囲を区切る（エントリポイントを打つ）ことでチャプタ分割する（ＳＴ２４ａ，ＳＴ３４ａ）。こうして特定マーク検出区間をチャプタ分割することにより、そのチャプタを削除するなどの編集操作が容易になる。【選択図】    図８
2010097665.tif 000002
【特許請求の範囲】
【請求項１】
電子すかしまたはコピー制御情報を特定マークとするときに、この特定マークが付いたビデオ／オーディオデータを含むデジタルコンテンツを記録または再生する方法において、
前記デジタルコンテンツの記録または再生中に前記特定マークの有無の変化点を検出し、
検出された前記特定マークの変化点で前記デジタルコンテンツの再生範囲を区切ることでチャプタ分割するチャプタ分割方法。
【請求項２】
前記特定マークの検出状況を示す変数として制御フラグを設け、前記制御フラグの初期値は前記特定マークが検出されていないことを示すオフ値とし、
前記特定マークが検出されたら前記制御フラグを参照し、前記制御フラグが前記オフ値であったなら前記チャプタ分割を実施して、前記制御フラグを前記特定マークが検出されたことを示すオン値とするように構成した請求項１に記載の方法。
【請求項３】
前記特定マークが検出されなくなった場合に前記制御フラグを参照し、前記制御フラグがオン値であったなら前記チャプタ分割を実施して、前記制御フラグをオフ値とするように構成した請求項２に記載の方法。
【請求項４】
前記デジタルコンテンツのチャプタ分割点における再生位置をエントリポイントとするときに、
前記制御フラグが前記オフ値のときの前記チャプタ分割により前記特定マークの付いたコンテンツの先頭エントリポイントを生成し、
前記制御フラグが前記オン値のときの前記チャプタ分割により前記特定マークの付いたコンテンツの末尾エントリポイントを生成し、
前記先頭エントリポイントから前記末尾エントリポイントまでの間を前記特定マークの検出区間として設定するように構成した請求項３に記載の方法。
【請求項５】
前記特定マークが付いたコンテンツのチャプタを削除するモードを設け、このモードでは、前記特定マークの検出区間に相当するチャプタを削除するように構成した請求項４に記載の方法。
【請求項６】
前記特定マークに関係した文字、記号または図形を、前記チャプタ分割が実施されたチャプタの名称表示または画像表示に付けるように構成した請求項１に記載の方法。
【請求項７】
前記特定マークの検出を知らせるアラートモードを設け、このアラートモードに入っているときに前記特定マークが検出されたときは、所定時間、画像および／または音声で前記特定マークの検出を知らせるように構成した請求項１に記載の方法。
【請求項８】
前記特定マークの有無の変化点において前記チャプタ分割を自動的に実行する自動チャプタ分割モードを設け、このモードに入っているときにだけ前記チャプタ分割を自動的に行うことができるように構成した請求項１に記載の方法。
【請求項９】
電子すかしまたはコピー制御情報を特定マークとするときに、この特定マークが付いたビデオ／オーディオデータを含むデジタルコンテンツを記録または再生する装置であって、
前記デジタルコンテンツの記録または再生中に前記特定マークの有無の変化点を検出手段と、
検出された前記特定マークの変化点で前記デジタルコンテンツの再生範囲を区切ることでチャプタ分割する手段を具備した映像装置。
【発明の詳細な説明】
【技術分野】
【０００１】
この発明は、著作権保護に関する情報（電子すかし、コピー制御情報など）の検出に基づいてデジタルコンテンツをチャプタ分割する方法および映像装置に関する。
【背景技術】
【０００２】
コピー管理に電子すかし等を利用する例として、特許文献１に開示された「映像情報記録装置、映像情報再生装置、記録方法、記憶媒体、プログラム、および記録媒体」がある。
【特許文献１】特開２００３−１３４４６１号公報。
【発明の開示】
【発明が解決しようとする課題】
【０００３】
特許文献１では、記録媒体に記録されているデータの内容を別の記録媒体にコピーする場合であっても、映像情報のコピー制限情報を適切に管理することができるようにしている。そのために、入力されるＡＶストリームのコピー制限情報(CopyControlInformation：ＣＣＩ)または電子すかし（WaterMark：ＷＭ)を検出してＣＣＩまたはＷＭの内容が変化したか否かを検査し(ステップ２０１)、ＣＣＩまたはＷＭの変化点情報とＣＣＩまたはＷＭの内容を取得し(ステップ２０２)、取得された変化点情報に基づいてコピー制限情報を管理するための管理情報(CCI-sequence)を生成し(ステップ２０３)、入力信号が終了した場合には、改竄防止の符号であるCCI_sequence_InfoのIntegrity_Check_Valueが計算されて(ステップ２０４,２０５)、改竄がなされていないことを確認し、コピー先の記録媒体にＡＶストリームと共に生成された管理情報を記録している（要約参照）。換言すると、入力ＡＶストリームのＷＭまたはＣＣＩの変化点情報を取得し、それを用いてユーザにコピー可能なストリーム部分を示し、コピー可能なストリーム部分だけをコピー先の機器に出力している(段落００５０〜００５１、００７２、図１５、２１参照)。
【０００４】
しかしながら、特許文献１では、ＷＭまたはＣＣＩ（著作権保護に関する情報）の変化点情報をチャプタ分割に利用すること、あるいはその変化点情報をＷＭまたはＣＣＩの検出区間の表示に利用することついては何ら開示がない。
【０００５】
この発明の課題の１つは、著作権保護に関する情報の変化点情報をチャプタ分割に利用できるようにすることである。
【課題を解決するための手段】
【０００６】
この発明の一実施の形態に係るチャプタ分割方法は、電子すかし（WaterMark：ＷＭ）またはコピー制御情報（CopyControlInformation：ＣＣＩ）を特定マークとするときに、この特定マーク（ＷＭ／ＣＣＩ）が付いたビデオ／オーディオデータを含むデジタルコンテンツを記録または再生する際に用いることができる。このチャプタ分割方法では、前記デジタルコンテンツの記録または再生中に前記特定マークの有無の変化点を検出し（ＳＴ１８ａ）、検出された前記特定マークの変化点で前記デジタルコンテンツの再生範囲を区切る（エントリポイントを打つ）ことでチャプタ分割している（ＳＴ２４ａ，ＳＴ３４ａ）。
【発明の効果】
【０００７】
特定マーク検出区間を処理する操作（特定マーク検出区間を削除する編集等）が容易になる。
【発明を実施するための最良の形態】
【０００８】
以下、図面を参照してこの発明の種々な実施の形態を説明する。図１は、この発明の一実施の形態に係る映像記録再生装置１００の概略構成を示すブロック図である。ＡＡＣＳ（Advanced Access Content System）などで著作権保護されたＡＶコンテンツを含む光ディスク１０ａ（あるいは図示しないメモリカード）がディスクドライブ部１０ｂ（あるいは図示しないカードスロット）に装填されると、ディスク１０ｂの記録内容（ＡＶコンテンツ、その管理情報等）がドライブ部１０ｂで読み取られて録再信号処理部１３０に送られる。ここで、ＡＡＣＳに規定された“Theatrical No Home Use Mark”は、電子すかし（ＷＭ）として用いることができる。処理部１３０で適宜信号処理されたＡＶコンテンツはデコードされＡＶ信号としてモニタ（映像表示装置）２００に送られる。同様に、ハードディスクドライブ部１０ｃから読み取られたＡＶコンテンツは録再信号処理部１３０に送られ、処理部１３０で適宜信号処理されてデコードされたＡＶコンテンツは、ＡＶ信号としてモニタ２００に送られる。
【０００９】
一方、アンテナ等から送られてくるデジタル放送波は、チューナ部１０５で受信され、録再信号処理部１３０に送られる。処理部１３０で適宜信号処理された受信番組のＡＶコンテンツは、所定のフォーマットでもって、ドライブ部１０ｂに装填されたディスク１０ｂ（あるいは図示しないスロットに装填されたメモリカード）および／またはハードディスクドライブ部１０ｃに記録（録画）される。
【００１０】
ディスクドライブ部１０ｂに装填されたディスク１０ｂ（あるいは図示しないスロットに装填されたメモリカード）の記録再生および／またはハードディスクドライブ部１０ｃの記録再生は、全体制御部１２０により制御される。ディスク１０ｂ（メモリカード）および／またはハードディスクドライブ部１０ｃに対する操作は、ユーザ指令および／またはソフトウエア指令により行われる。具体的には、この操作は、リモコン受信部１０７で受信するリモコン１０６からのユーザ指令、装置１００のフロントパネル（図示せず）に設けられたユーザ操作入力部１０８からのユーザ指令、もしくは予め設定されば番組録画予約・タイマ再生予約等に基づくソフトウエア指令により行なうことができる。
【００１１】
上記の操作は、全体制御部１２０を構成するコンピュータ（ＣＰＵまたはＭＰＵ）のファームウエアが処理する。このファームウエアはメモリ部１１０内のＲＯＭに書き込まれている。このメモリ部１１０は、ファームウエアが所定の操作を実行する際のワークエリアを提供するＲＡＭ等も含んでいる。
【００１２】
全体制御部１２０のファームウエアは、その処理機能別に、特定マーク（ＷＭ／ＣＣＩ）を検出するWaterMark/CCI検出部１２０１、特定マーク（ＷＭ／ＣＣＩ）の位置情報を取得するWaterMark/CCI位置情報取得部１２０２、コンテンツ制御に利用されるチャプタ情報の設定などを行うチャプタ情報設定部１２０３、特定マーク（ＷＭ／ＣＣＩ）に対応した信号制御を行うWaterMark/CCI対応出力信号制御部１２０４、チャプタのサムネール画像を含む画像生成を操作するチャプタ一覧画像生成部１２０５等を含んでいる。ここで、チャプタ情報設定部１２０３は、チャプタ分割（エントリポイント付与）を行うチャプタ分割処理部としても機能できるようになっている。
【００１３】
記録媒体（光ディスク、ハードディスクドライブ、メモリカード等）を用いた記録または再生において、全体制御部１２０は、上記のファームウエアにより、記録または再生開始、記録または再生停止、再生速度変更、チャプタ分割、編集等を指示する。
【００１４】
図２は、再生中における特定マーク（ＷＭ／ＣＣＩ）自動チャプタ分割の仕組みを説明する図である。全体制御部１２０は、コンテンツ制御部１２０３に対して、再生開始、再生停止、再生速度変更、チャプタ分割等を指示する。コンテンツ制御部１２０３は、記録媒体１０中のＡＶコンテンツに対してチャプタ分割を行う。また、コンテンツ制御部１２０３は、記録媒体１０の読み出しを制御し、再生の開始や停止、再生速度変更（１倍速再生からＮ倍速再生まで：Ｎ＞１）などを行う。
【００１５】
記録媒体（光ディスク、ハードディスクドライブ、メモリカード等）１０は、編集や再生が可能なＡＶコンテンツを保存している。このコンテンツの音声情報および／または映像情報にはWaterMark（ＷＭ）が適宜付加されている。このコンテンツが前記ＡＡＣＳで著作権保護されているときは、記録媒体１０に記録されているＡＡＣＳの“Theatrical No Home Use Mark”をWaterMark（ＷＭ）として利用することができる。
【００１６】
また、このコンテンツを運ぶデータパケットのヘッダ（図示せず）内には、このコンテンツのCopyControlInformation（ＣＣＩ）が埋め込まれている。このＣＣＩにより、コピー禁止、一回のみコピー可、コピーフリーなどが、１もしくは複数のパケットの単位で管理できるようになっている。具体的には、コンテンツの情報を含むデジタルストリームが所定のデータ単位で転送されるようになっているとき、このデータ単位にデータパケットとそのパケットの到着時間を示すタイムスタンプのペアが１以上含まれ、１以上のタイムスタンプ／パケットペアに対してヘッダが付される。このヘッダに、前記ＣＣＩに対応する情報が記載される。
【００１７】
WaterMark/CCI検出部１２０１は、記録媒体１０中のコンテンツに存在する特定マーク（ＷＭおよび／またはＣＣＩ）を検出する。また、WaterMark/CCI検出部１２０１は、特定マーク（ＷＭ／ＣＣＩ）の検出時に全体制御部１２０に検出したことを通知する。また、WaterMark/CCI検出部１２０１は、特定マーク（ＷＭ／ＣＣＩ）が最初に検出されたとき、その再生時点でエントリポイントＥＰを打ち、このＥＰを管理情報としてエントリポイントメモリ１１０２に記憶する。同時に、特定マーク（ＷＭ／ＣＣＩ）の先頭が検出されたことを示すフラグを制御フラグメモリ１１０１に記録する。なお、エントリポイントメモリ１１０２に記憶される管理情報には、後述する図１２のコンテンツ管理情報テーブルを含ませることができる。
【００１８】
出力部１３０１は、対象機器（映像記録再生装置１００）から外部機器（モニタ２００）へ映像や音声（ＡＶ信号）を出力する部分である。記録媒体１０からの再生を開始すると、そこから再生された映像音声の信号が出力部１３０１に送出される。この映像音声信号のうち、例えば音声信号部分には、極低周波領域（２０Ｈｚ以下）において特定パターンで変調されたWaterMark信号が重畳されている。このWaterMark信号をフィルタ分離してその信号パターンを解析する。そのパターン（振幅変調パターン、周波数変調パターン、位相変調パターンなど）が予め記憶された信号パターンに合致すれば、特定マーク（ＷＭ）が検出されたものとすることができる。
【００１９】
あるいは、映像信号の特定部分（特定のデータストリームや特定のデータパケットなど）にWaterMark情報が格納されているときは、この映像信号を解析し、予め設定された識別子（ストリームＩＤ、パケットＩＤなど）により特定部分が検出されたら、特定マーク（ＷＭ）が検出されたものとすることができる。
【００２０】
あるいは、映像音声信号のデータパケット（１もしくは複数のパケット）にヘッダを付けこのヘッダにCopyControlInformation（ＣＣＩ）またはContentProtectionInformation（ＣＰＩ）を格納しておく。このＣＣＩ（またはＣＰＩ）により、コンテンツのコピー禁止、コピーワンス、コピーフリーなどを管理できるようになっている。映像音声信号のデータパケットのヘッダを解析し、ＣＣＩ（またはＣＰＩ）が例えばコピー禁止に設定されていたら、特定マーク（ＣＣＩ）が検出されたものとすることができる。
【００２１】
このようにして、WaterMark/CCI検出部１２０１は特定マーク（ＷＭ／ＣＣＩ）の検出を行い、その検出結果に応じて特定マーク（ＷＭ／ＣＣＩ）の有無を全体制御部１２０に通知する。全体制御部１２０では、一定周期（例えば０．５秒周期）でこの通知を監視し、特定マーク（ＷＭ／ＣＣＩ）検出有無の変化点（無し→あり、または、あり→無し）において、チャプタ分割を実施する。チャプタ分割は、全体制御部１２０からコンテンツ制御部１２０３に対してチャプタ分割命令を発行し、記録媒体１０中のコンテンツ管理情報にチャプタの存在を示す情報を記述することにより、実現する。
【００２２】
なお、チャプタ分割されたプログラム（またはタイトル）の情報はチャプタ一覧画像生成部１２０５へ送られる。チャプタ一覧画像生成部１２０５は、チャプタのサムネール画像を含む画像を生成し、出力部１３０１へ生成画像を送る。出力部１３０１では、送られてきた画像に適宜ＯＳＤ画像を重畳して外部機器２００へ送出する。
【００２３】
例えば、対象機器１００として高精細ＤＶＤレコーダを例にとると、そのコンテンツ管理情報（ＨＤＶＲ＿ＭＧ）はプログラムチェーン情報（ＰＧＣＩ）を含んでいる。記録コンテンツの論理単位をプログラムとするとき、プログラムの繋がりを示すプログラムチェーンＰＧＣの再生全体を管理するものがＰＧＣＩである。プログラムチェーンの再生全体はセルの再生順序で記載される。セルはプログラムの一部を示すデータ構造で、プログラムの再生単位となる。
【００２４】
ＰＧＣＩは、ＰＧＣ一般情報ＰＧＣ＿ＧＩ、１以上のプログラム情報ＰＧＩ、１以上のセル情報ＣＩ、ＣＩと同数のセル情報サーチポインタＣＩ＿ＳＲＰを含んでいる。各ＰＧＩには、対応プログラムのプライマリテキストを記述するプライマリテキスト情報ＰＲＭ＿ＴＸＴＩ、対応プログラムの代表画像を記述するプログラム代表画像情報ＰＧ＿ＲＥＰ＿ＰＩＣＴＩなどが含まれる。ＰＧ＿ＲＥＰ＿ＰＩＣＴＩはターゲットセルのピクチャポイントを記述するＰＩＣＴ＿ＰＴが含まれており、ＰＩＣＴ＿ＰＴが示すセルの画像を用いてサムネールを生成することができる。また、ＰＲＭ＿ＴＸＴＩによりサムネールに付けるテキストを生成できる。さらに、装置側のオンスクリーンディスプレイ（ＯＳＤ）機能を併用することにより、サムネールに所定の画像（文字、図形など）を合成することもできる。
【００２５】
一方、ＣＩは、セル一般情報Ｃ＿ＧＩと１以上のセルエントリポイント情報Ｃ＿ＥＰＩを含むようになっている。Ｃ＿ＧＩは、Ｃ＿ＥＰＩの数を示すＣ＿ＥＰＩ＿Ｎｓ、対応セルの再生開始時間を示すＣ＿Ｓ＿ＰＴＭ、対応セルの再生終了時間を示すＣ＿Ｅ＿ＰＴＭなどを含んでいる。Ｃ＿ＥＰＩは、対応エントリポイントの再生時間ＥＰ＿ＰＴＭおよび、適宜、対応エントリポイントのプライマリテキスト情報ＰＲＭ＿ＴＸＴＩを含んでいる。
【００２６】
記録済みのプログラム（あるいはこれから録画するプログラム）は、エントリポイントを打つことによりチャプタ分割できる。例えば６０分のプログラム（当初はチャプタ分割されていないものとする）の再生開始から１５分後に最初のエントリポイント＃１（ＥＰ１）を打つと、対応するＣ＿ＥＰＩ＃１が管理情報の一部（ＣＩ）に書き込まれ、Ｃ＿ＥＰＩ＃１のＥＰ＿ＰＴＭには再生時間１５分が記録される。その結果、該当プログラムは、再生開始から１５分の時点で打たれたエントリポイントＥＰ１により２つのチャプタに分割される。同様に、再生開始から３０分後に２度目のエントリポイント＃２（ＥＰ２）を打つと、対応するＣ＿ＥＰＩ＃２が管理情報の一部（ＣＩ）に書き込まれ、Ｃ＿ＥＰＩ＃２のＥＰ＿ＰＴＭには再生時間３０分が記録される。その結果、該当プログラムは、再生開始から１５分の時点と３０分の時点で打たれたエントリポイントＥＰ１、ＥＰ２により３つのチャプタに分割される。
【００２７】
ここで、ある特定マーク（ＷＭ／ＣＣＩ）の先頭（始めの特定マーク変化点）が検出されたときにエントリポイントＥＰ１を打ち、その特定マーク（ＷＭ／ＣＣＩ）の末尾（次の特定マーク変化点）が検出されたときにエントリポイントＥＰ２を打てば、エントリポイントＥＰ１からＥＰ２の間で分割されたチャプタが、WaterMarkまたはCopyControlInformationで著作権保護されたコンテンツを含むチャプタとなる。
【００２８】
図１１は、WaterMarkで著作権保護されたコンテンツにおけるチャプタ分割の概念を説明する図である。ここでは、左から右に時系列で入力データの内容を示している。この例では、入力データの再生時間で１５分から３０分の間と、４５分から６０分の間においてWaterMarkが存在するものとしている。この入力データに対してWaterMark自動チャプタ分割（再生中または録画中の分割モード）を実施したものが、出力データになる。出力データでは、WaterMarkの存在する部分と存在しない部分の区切りにおいて、エントリーポイント（ＥＰ）を設定し、チャプタを分割している。
【００２９】
なお、図１１における「入力データ」は、下記の（ａ）（ｂ）によって違うものを示す：
（ａ）再生中のWaterMark自動チャプタ分割およびWaterMark自動チャプタ分割モードを適用する場合の入力データは、記録媒体１０上の記録済コンテンツ；
（ｂ）録画中のWaterMark自動チャプタ分割を適用する場合の入力データは、外部入力やチューナから入力したＡＶ信号。
【００３０】
チャプタ分割は、コンテンツの特定の位置にエントリポイントを設定することで実現する。エントリポイントとエントリポイントの間の区間が一つのチャプタとなる。このエントリーポイントを図１２に示すようなコンテンツ管理情報テーブルで管理する。WaterMark自動チャプタ分割では、WaterMarkの存在するチャプタに対して、チャプタ名を例えば「WaterMark検出区間」とする。なお、ＣＣＩで著作権保護されたコンテンツにおけるチャプタ分割の概念も同様である。
【００３１】
図１２は、コンテンツ管理情報テーブルの一例を説明する図である。このコンテンツ管理情報テーブルは、図２または図６のエントリポイントメモリ１１０２に格納されてもよいし、図１のメモリ部１１０に格納されてもよい。このコンテンツ管理情報テーブルは、タイトル番号カラム、チャプタ番号カラム、エントリポイント位置カラム、チャプタ名カラムなどにより構成される。
【００３２】
ここで、タイトルは１つの完結したコンテンツを示し、放送録画では、通常は１録画プログラムが１タイトルになる。図１２では番号１のタイトルが例示されている。エントリポイント位置は、タイトル１のプログラムにおいて、エントリポイントを打った時間を順に記述している。チャプタ番号は打たれたエントリポイントに対応して順に付番される。特定マーク（ＷＭ／ＣＣＩ）検出区間以外のチャプタ名は任意であり、ＴＶ放送録画では通常は放送番組名が記載される（この番組名の記述には前述したプライマリテキスト情報を利用できる）。特定マーク（ＷＭ／ＣＣＩ）検出区間のチャプタ名は装置１００が予め持っている所定のテキスト情報を利用できる。この所定のテキスト情報により、例えばチャプタのサムネールに「ＷＭ」あるいは「ＣＣＩ」またはそれらに関連する文字を記載することができる。
【００３３】
図１３は、WaterMark/CopyControlInformation検出区間のチャプタが削除される前のチャプタ一覧を例示する図である。このチャプタ一覧の画像は、図１、図２、または図６のチャプタ一覧画像生成部１２０５により生成できる。WaterMark区間自動削除モードとは、チャプタ名が例えば「WaterMark検出区間」であるチャプタを自動的に削除するモードである。図１３は、このモードを実施する前のチャプタ一覧画面である。この場合、コンテンツに存在する全てのチャプタがサムネイル表示されている。ユーザは、図示しないメニュー画面などからWaterMark区間自動削除モード（図１０参照）を実行する。
【００３４】
図１４は、WaterMark/CopyControlInformation検出区間のチャプタが削除された後のチャプタ一覧を例示する図である。このチャプタ一覧の画像は、図１、図２、または図６のチャプタ一覧画像生成部１２０５および、図示しないＯＳＤ画像生成部により生成できる。ここでは、WaterMarkが存在するチャプタ（チャプタ２およびチャプタ４）のサムネール上に削除済を示すマークを記述している（図１４の削除マークは装置１００のＯＳＤ機能により生成される）。
【００３５】
図３は、再生中のWaterMark自動チャプタ分割の実施結果の一例を説明する図である。ここでは、WaterMark検出区間を含むタイトルに対して、再生中のWaterMark自動チャプタ分割、またはWaterMark自動チャプタ分割モードを実行した結果を例示している。ここでは、チャプタ分割処理の実行前は、WaterMark検出区間と非検出区間の混在するチャプタが１つ（チャプタ１）のみ存在するタイトルであったが、処理を実行することにより、WaterMark検出区間と非検出区間の間でチャプタが分割され、複数のチャプタ（新たなチャプタ１〜４）が存在するコンテンツになることを示している。このとき、WaterMark検出区間で構成されるチャプタ（チャプタ２、４）には、「WaterMark検出区間」というチャプタ名が設定される。なお、ＣＣＩに基づく自動チャプタ分割が行われる場合も同様である。
【００３６】
図４は、WaterMark区間自動削除の実施結果の一例を説明する図である（ＣＣＩに基づく自動チャプタ削除の場合も同様）。ここでは、コンテンツのWaterMark検出区間と非検出区間の間でチャプタ分割されているコンテンツに対して、WaterMark区間自動削除モードを実行した結果を例示している。処理の実行前は、コンテンツ中にWaterMark検出区間からなるチャプタと、非検出区間からなるチャプタが混在しているが、この処理を実行することにより、WaterMark検出区間のチャプタが削除されることになる。
【００３７】
図５は、WaterMark一括編集モード（自動チャプタ分割＋自動削除）の実施結果の一例を説明する図である。ここでは、WaterMark検出区間を含むタイトル(WaterMark検出区間と非検出区間の間でチャプタ分割されていない)に対して、WaterMark一括編集モードを実行した結果を示している。処理の実行前は、WaterMark検出区間と非検出区間の混在するチャプタ１つ（チャプタ１）のみ存在するタイトルであったが、処理を実行することにより、WaterMark非検出区間でのみ構成されるチャプタ（新たなチャプタ１、２）からなるタイトルに変化する。これは、WaterMark自動チャプタ分割機能とWaterMark区間自動削除モードの両者を順に実行することで実現する。なお、ＣＣＩに基づく自動チャプタ分割＋自動削除の場合も同様である。
【００３８】
図６は、録画（記録）中におけるWaterMark/CopyControlInformation自動チャプタ分割の仕組みを説明する図である。全体制御部１２０は、コンテンツ制御部１２０３に対して、録画開始、録画停止、記録レート変更、チャプタ分割等を指示する。コンテンツ制御部１２０３は記録媒体１０に記録中のコンテンツに対してチャプタを分割を行う。記録媒体（光ディスク、ハードディスクドライブ、メモリカード等）１０には、編集や再生が可能なコンテンツが保存される。このコンテンツには、前述したWaterMark（ＷＭ）および／またはCopyControlInformation（ＣＣＩ）が適宜付加される。
【００３９】
WaterMark/CCI検出部１２０１は、記録対象のコンテンツに存在する特定マーク（ＷＭおよび／またはＣＣＩ）を検出する。また、WaterMark/CCI検出部１２０１は、特定マーク（ＷＭ／ＣＣＩ）の検出時に全体制御部１２０に検出したことを通知する。さらに、WaterMark/CCI検出部１２０１は、特定マーク（ＷＭ／ＣＣＩ）が最初に検出されたとき、その時点でエントリポイントＥＰを打ち、このＥＰを管理情報としてエントリポイントメモリ１１０２に記憶する。同時に、特定マーク（ＷＭ／ＣＣＩ）の先頭が検出されたことを示すフラグを制御フラグメモリ１１０１に記録する。
【００４０】
チューナや外部入力などの映像音声入力部１０２は、記録対象となる映像や音声の情報が入力される部分で、ＨＤＭＩ（High Definition Multimedia Interface）やＩＥＥＥ１３９４インターフェースなどで構成される。あるいは、映像音声入力部１０２を、アナログビデオ・アナログオーディオの入力ピンジャックで構成することもできる。
【００４１】
出力部１３０１は、対象機器（映像記録再生装置１００）から外部機器（モニタ２００）へ映像や音声（ＡＶ信号）を出力する部分である。チューナあるいは外部入力からの映像音声情報を記録媒体１０へ記録する処理を開始すると、それと並行して、記録情報が出力部１３０１に送出される。この記録情報のうち、例えば音声信号部分にはWaterMark信号が重畳されている。このWaterMark信号をフィルタ分離してその信号パターンを解析する。そのパターンが予め記憶された信号パターンに合致すれば、特定マーク（ＷＭ）が検出されたものとする。あるいは、映像信号の特定部分（特定のデータストリームあるいは特定のデータパケットなど）にWaterMark情報が格納されているときは、この映像信号を解析し、予め設定された識別子（ストリームＩＤ、パケットＩＤなど）により特定部分が検出されたら、特定マーク（ＷＭ）が検出されたものとする。あるいは、映像音声信号のデータパケットのヘッダを解析し、そのヘッダにコピーフリー以外のＣＣＩが設定されていたら、特定マーク（ＣＣＩ）が検出されたものとする。
【００４２】
このようにして、WaterMark/CCI検出部１２０１は特定マーク（ＷＭ／ＣＣＩ）の検出の有無を全体制御部１２０に通知する。全体制御部１２０では、一定周期（例えば０．５秒周期あるいは、ＭＰＥＧ−２のデジタル放送録画の場合はＩピクチャの周期）でこの通知を監視し、特定マーク（ＷＭ／ＣＣＩ）検出有無の変化点（無し→あり、または、あり→無し）において、チャプタ分割を実施する。チャプタ分割は、全体制御部１２０からコンテンツ制御部１２０３に対してチャプタ分割命令を発行し、記録媒体１０中のコンテンツ管理情報にチャプタの存在を示す情報を記述することにより、実現する。
【００４３】
図７は、WaterMark/CopyControlInformation自動チャプタ分割設定メニューの一例を示している。このメニューは、装置１００のＯＳＤ機能を用いて表示することができる。再生中または録画中のWaterMark自動チャプタ分割は、この設定を「入り」にすることで機能するようになる。
【００４４】
図８は、再生中または録画中におけるWaterMark/CopyControlInformation検出による自動チャプタ分割処理の一例を説明するフローチャートである。この自動チャプタ分割処理は、図１のＣＰＵ／ＭＰＵ部、図２のコンテンツ制御部、図６のコンテンツ制御部などのファームウエアにより実行することができる。図８の自動チャプタ分割処理は、特定マーク自動チャプタ分割モード内における記録または再生中に行われる。
【００４５】
特定マーク（WaterMark/CopyControlInformationまたはＷＭ／ＣＣＩ）が存在し得るＡＶコンテンツの記録または再生動作が開始すると（ＳＴ１０ａ）、一定時間（例えば０．５秒程度）待って（ＳＴ１２ａ）、特定マークを対象とする動作に入っているか否かをチェックする（ＳＴ１４ａ）。特定マークを対象とする動作に入っていなければ（ＳＴ１４ａＮ）、制御フラグをオフに設定し（ＳＴ１６ａ）、図８の処理動作が続いておれば（ＳＴ４４ａＮ）、ＳＴ１２ａに戻る。なお、制御フラグの初期値はオフとなっている。
【００４６】
特定マークを対象とする動作に入っているときに（ＳＴ１４ａＹ）、特定マークが検出されると（ＳＴ１８ａＹ）、検出アラート出力の設定がオンになっているか否かチェックされる。この設定がオンになっているときは（ＳＴ２０ａＹ）、所定時間（例えば２〜３秒間）、特定マークが検出されたことを示すグラフィカルユーザインターフェースＧＵＩのＯＳＤ表示（図示せず）をモニタ２００で行い、および／または特定マークが検出されたことを図示しないスピーカから音声案内する（ＳＴ２１ａ）。検出アラート出力の設定がオフならばＳＴ２１ａのＧＵＩ表示および／または音声案内はしない。なお、検出アラート出力の設定は、図７と同様な構成のメニュー（図示せず）を用いて、ユーザが行うことができる。
【００４７】
特定マークが検出されたあと（ＳＴ１８ａＹ）、制御フラグがチェックされる（ＳＴ２２ａ）。制御フラグがオフであれば（ＳＴ２２ａＹ）、その検出時点でエントリポイントを打ってチャプタ分割を実施し（ＳＴ２４ａ）、制御フラグをオンにする（ＳＴ２６ａ）。これにより、見つかった特定マーク付きのコンテンツの先頭位置でチャプタ分割される。図８の処理動作が続いておれば（ＳＴ４４ａＮ）、ＳＴ１２ａに戻る。特定マークが検出されたときに（ＳＴ１８ａＹ）制御フラグがオンとなっていれば（ＳＴ２２ａＮ）、現在は特定マーク付きのコンテンツの記録途中または再生途中にあることになる。この状態で図８の処理動作が続いておれば（ＳＴ４４ａＮ）、ＳＴ１２ａに戻る。
【００４８】
特定マーク対象動作中（ＳＴ１４ａＹ）に特定マークが検出されなくなると（ＳＴ１８ａＮ）、制御フラグがチェックされる（ＳＴ３２ａ）。制御フラグがオンであれば（ＳＴ３２ａＹ）、その検出時点でエントリポイントを打ってチャプタ分割を実施し（ＳＴ３４ａ）、制御フラグをオフにする（ＳＴ３６ａ）。その結果、特定マーク付きのコンテンツの末尾位置でチャプタ分割され、そのチャプタ分割点とその直前のチャプタ分割点との間のチャプタが「特定マーク検出区間のチャプタ」となる。こうして「特定マーク検出区間のチャプタ」が確定すると、そのチャプタの先頭エントリポイントの管理情報（前述したＣ＿ＥＰＩなど）内のテキスト情報エリア（前述したＰＲＭ＿ＴＸＴＩなど）に特定マーク検出区間を示す名称が記述される（ＳＴ３８ａ）。あるいは、そのチャプタのサムネールに、特定マーク検出区間を示す文字および／または図形が、ＯＳＤ処理により付加される（ＳＴ３８ａ）。
【００４９】
特定マークが検出されていないときに（ＳＴ１８ａＮ）制御フラグがオフとなっていれば（ＳＴ３２ａＮ）、現在は特定マーク付きのコンテンツの記録途中または再生途中にないことになる。この状態で図８の処理動作が続いておれば（ＳＴ４４ａＮ）、ＳＴ１２ａに戻る。制御フラグがオフで特定マークが検出されていない間のチャプタは、「特定マーク非検出区間のチャプタ」となる。
【００５０】
なお、再生中における特定マーク自動チャプタ分割モードは、特定マーク（WaterMark/CopyControlInformation）の検出処理とそれに伴う自動チャプタ分割処理が正常動作する範囲で、再生速度を速めた機能（Ｎ倍速再生で自動チャプタ分割）を持つ。
【００５１】
図８の処理をまとめると、次のようになる。すなわち、このチャプタ分割では、特定マーク有無の変化点で実施するため、前回の特定マーク検出状況と今回の特定マーク検出状況を比較する。特定マーク検出状況を記憶する変数として制御フラグを設け、その初期値をオフとする。特定マークを検出した場合に制御フラグを参照し、制御フラグがオフであるならば、特定マークなしから特定マークありへ変化したことを示すためチャプタ分割を実施し、制御フラグをオンにする。一方、特定マークを検出しなかった場合にも制御フラグを参照し、制御フラグがオンであるならば、特定マークありから特定マークなしへ変化したことを示すため、チャプタ分割を実施し、制御フラグをオフにする。このように、制御フラグを用いて変化点の検出を実施する。
【００５２】
図９は、再生中または録画中におけるWaterMark/CopyControlInformation検出による自動チャプタ分割処理の他例を説明するフローチャートである。この自動チャプタ分割処理は、図１のＣＰＵ／ＭＰＵ部、図２のコンテンツ制御部、図６のコンテンツ制御部などのファームウエアにより実行することができる。
【００５３】
特定マーク（ＷＭ／ＣＣＩ）が存在し得るＡＶコンテンツの記録または再生動作が開始すると（ＳＴ１０ｂ）、一定時間（例えば０．５秒程度）待って（ＳＴ１２ｂ）、特定マーク自動チャプタ分割の設定（図７参照）が入っているか否かチェックされる（ＳＴ１３ｂ）。この設定が入っておらず（ＳＴ１３ｂＮ）、図９の処理動作が続いていれば（ＳＴ４４ｂＮ）、ＳＴ１２ｂに戻る。
【００５４】
特定マーク自動チャプタ分割の設定が入っているときは（ＳＴ１３ｂＹ）、特定マークを対象とする動作に入っているか否かがチェックされる（ＳＴ１４ｂ）。特定マークを対象とする動作に入っていなければ（ＳＴ１４ｂＮ）、制御フラグをオフに設定し（ＳＴ１６ｂ）、図９の処理動作が続いておれば（ＳＴ４４ｂＮ）、ＳＴ１２ｂに戻る。なお、制御フラグの初期値はオフとなっている。
【００５５】
特定マークを対象とする動作に入っているときに（ＳＴ１４ｂＹ）、特定マーク（ＡＡＣＳの“Theatrical No Home Use Mark”など）が検出されると（ＳＴ１８ｂＹ）、制御フラグがチェックされる（ＳＴ２２ｂ）。制御フラグがオフであれば（ＳＴ２２ｂＹ）、その検出時点でエントリポイントを打ってチャプタ分割を実施し（ＳＴ２４ｂ）、制御フラグをオンにする（ＳＴ２６ｂ）。これにより、見つかった特定マーク付きのコンテンツの先頭位置でチャプタ分割される。図９の処理動作が続いておれば（ＳＴ４４ｂＮ）、ＳＴ１２ｂに戻る。特定マークが検出されたときに（ＳＴ１８ｂＹ）制御フラグがオンとなっていれば（ＳＴ２２ｂＮ）、現在は特定マーク付きのコンテンツの記録途中または再生途中にあることになる。この状態で図９の処理動作が続いておれば（ＳＴ４４ｂＮ）、ＳＴ１２ｂに戻る。
【００５６】
特定マーク対象動作中（ＳＴ１４ｂＹ）に特定マークが検出されなくなると（ＳＴ１８ｂＮ）、制御フラグがチェックされる（ＳＴ３２ｂ）。制御フラグがオンであれば（ＳＴ３２ｂＹ）、その検出時点でエントリポイントを打ってチャプタ分割を実施し（ＳＴ３４ｂ）、制御フラグをオフにする（ＳＴ３６ｂ）。その結果、特定マーク付きのコンテンツの末尾位置でチャプタ分割され、そのチャプタ分割点とその直前のチャプタ分割点との間のチャプタが「特定マーク検出区間のチャプタ」となる。
【００５７】
こうして「特定マーク検出区間のチャプタ」が確定すると、そのチャプタの先頭エントリポイントの管理情報（前述したＣ＿ＥＰＩなど）内のテキスト情報エリア（前述したＰＲＭ＿ＴＸＴＩなど）に特定マーク検出区間を示す名称（「WaterMark検出区間」あるいは「ＣＣＩ検出区間」など）が記述される（ＳＴ３８ｂ）。あるいは、そのチャプタのサムネールに、特定マーク検出区間を示す文字および／または図形が、ＯＳＤ処理により付加される（ＳＴ３８ｂ）。
【００５８】
特定マークが検出されていないときに（ＳＴ１８ｂＮ）制御フラグがオフとなっていれば（ＳＴ３２ｂＮ）、現在は特定マーク付きのコンテンツの記録途中または再生途中にないことになる。この状態で図９の処理動作が続いておれば（ＳＴ４４ｂＮ）、ＳＴ１２ｂに戻る。制御フラグがオフで特定マークが検出されていない間のチャプタは、「特定マーク非検出区間のチャプタ」となる。
【００５９】
図１０は、WaterMark/CopyControlInformation検出区間のチャプタを削除する処理の一例を説明するフローチャートである。このチャプタ削除処理は、図１のＣＰＵ／ＭＰＵ部、図２のコンテンツ制御部、図６のコンテンツ制御部などのファームウエアにより実行することができる。この処理に入ると、特定マーク検出区間のチャプタの開始位置（先頭エントリポイント）から終了位置（末尾エントリポイント）までを検出する（ＳＴ５０）。これらの位置情報は、図２または図６のエントリポイントメモリ１１０２に格納されている。これにより、削除対象となる「特定マーク検出区間のチャプタ」が確定する。
【００６０】
「特定マーク検出区間のチャプタ」が確定したら、そのチャプタを削除する（ＳＴ５２）。この削除は、そのチャプタが存在する区間（記録エリア）が未記録エリアとして扱われるように管理情報を書き替えることで、行うことができる。その結果、記録メディアがライトワンスメディアなら削除区間は使用不可となるが、記録メディアが書替可能メディア（ＨＤＤ、メモリカード、ＲＡＭディスクなど）なら削除区間は再使用できるようになる。
【００６１】
＜コンテンツ再生中にＷＭ箇所でＡＶ出力をミュートする場合の例＞
WaterMarkが存在する箇所は再生に制限（ＡＶ出力のミュートなど）が生じる。ひとつのコンテンツにWaterMarkが点在した場合、再生においてミュートと非ミュートが連続するなど、視聴に耐えないものとなる。そこで、WaterMarkの変化点で自動的にチャプタを分割することや、チャプタ名としてWaterMarkの存在を表示することで、WaterMarkの存在区間をユーザに視覚的に提示し、快適な再生や、編集の容易さを向上する。
【００６２】
具体的には、WaterMark部分を削除すればミュートが発生しないため、視聴が快適になる。また、WaterMarkを除去したコンテンツの作成も自動化できる。そのため、
ｉ．WaterMarkを検出し、ミュート（ＷＭ箇所のＡＶ出力カット）する際、ＷＭ箇所の先頭でチャプタ分割を行ない、
ｉｉ．ＷＭ箇所を抜けミュートが解除される際、ＷＭ箇所の末尾でもチャプタ分割を行う。  
これにより、WaterMark検出区間を取り除くなどの編集が容易になる。
【００６３】
＜実施の形態のまとめ＞
［各機能の説明］
１．再生中のWaterMark自動チャプタ分割
設定値（WaterMark自動チャプタ分割設定（図７））を設け、通常の再生において、WaterMark変化点でチャプタ分割を自動実行する機能を有効にするか無効にするかをユーザに選択させる。この設定が「入り」である場合、以降の通常再生において、WaterMark有無の変化点を検出した際にチャプタ分割を実行する。（再生中のWaterMark検出による自動チャプタ分割の仕組みについては、図２、図８等参照。）
なお、再生と録画が同時動作している場合（予約録画中の追いかけ再生など）は、再生のWaterMark変化点のチャプタ分割を優先して実施するように構成できる。
【００６４】
２．WaterMark自動チャプタ分割モード
・処理の開始：メニュー画面からこのモードを起動する。
【００６５】
・処理対象：ユーザが処理対象を選択する（任意に選択したコンテンツまたは全てのコンテンツ）。
【００６６】
・処理内容：処理対象について、WaterMarkの変化点に対して自動的にチャプタ分割を実施する。その際、WaterMarkを検出し得る速度（高速再生）で内部的に再生を実施することができる。そうすると、「等速（１倍速」再生中のWaterMark自動チャプタ分割」よりも高速でコンテンツ内のWaterMark変化点にチャプタ分割を実施できる。
【００６７】
このモードを適用することによりWaterMark検出区間の前後でチャプタを自動的に分割することができる。その際、ユーザが識別しやすいように、メニュー等で表示するチャプタ名を「WaterMark検出区間」とすることができる（図３参照）。
【００６８】
３．WaterMark区間自動削除モード
・処理の開始：メニュー画面からこのモードを起動する。
【００６９】
・処理対象：ユーザが処理対象を選択する（任意に選択したコンテンツまたは全てのコンテンツ）。
【００７０】
・処理内容：このモードは既に検出済のWaterMark区間を自動的に削除するモードである。処理対象のチャプタについて、チャプタ名に「WaterMark検出区間」とあるチャプタを削除する。具体的には、
コンテンツ管理情報テーブル（図１２）を参照し、チャプタ名が「WaterMark検出区間」または「ＣＣＩ検出区間」であるチャプタを検索して削除する（図４参照）。
【００７１】
４．WaterMark一括編集モード（自動チャプタ分割＋自動削除）
・処理の開始：メニュー画面からこのモードを起動する。
【００７２】
・処理対象：ユーザが処理対象を選択する（任意に選択したコンテンツまたは全てのコンテンツ）。
【００７３】
・処理内容：上述のWaterMark自動チャプタ分割モードとWaterMark箇所の自動削除モードを順に実行する（図５参照）。
【００７４】
５．録画中のWaterMark自動チャプタ分割
外部入力やチューナから入力した映像・音声を記録する際に、その映像・音声に対してWaterMark検出を実施する。このWaterMark変化点においてチャプタ分割を実施する（図６、図８等参照）。具体的には、外部入力やチューナから入力された信号を記録する際、その信号を出力部側にあるWaterMark検出部１２０１に入力し、WaterMarkの検出を実施する。検出された場合は、記録媒体１０に記録されたコンテンツに対して、コンテンツ制御部１２０３にてチャプタ分割処理を実施する。WaterMark検出区間で構成されるチャプタには、チャプタ分割した際にチャプタ名として「WaterMark検出区間」等を設定する。
【００７５】
＜実施の形態の効果＞
WaterMarkを検出した場合、再生を停止したりミュートするなど再生に制限を設けることが予定されている。これでは、WaterMark検出区間以外の正常に再生できる区間の再生を妨げることになる。そこで、前述した「再生中のWaterMark自動チャプタ分割」や「WaterMark自動チャプタ分割モード」などを適用することにより、ユーザはWaterMark検出区間を視覚的に判断できるようになり、ユーザによる編集作業（WaterMark検出区間を除いたプレイリストの作成など）に有効である。また、「WaterMark区間自動削除モード」や「WaterMark一括編集モード」を用いることで、WaterMark区間を除くなどの編集作業を自動化できる（ユーザによる編集作業は不要になる）。前述の内容は既に記録されたコンテンツに対するものであるが、「録画中のWaterMark自動チャプタ分割機能」により、録画しながらでもWaterMarkの変化点でチャプタ分割を実施することもできる。
【００７６】
＜実施の形態と発明との対応例＞
（１）＜WaterMark：ＷＭまたはCopyControlInformation：ＣＣＩの有無の変化点でチャプタ分割する方法＞
電子すかし（ＷＭ）またはコピー制御情報（ＣＣＩ）を特定マークとするときに、この特定マーク（ＷＭ／ＣＣＩ）が付いたビデオ／オーディオデータを含むデジタルコンテンツを記録または再生する方法（図８）において、
前記デジタルコンテンツの記録または再生中に前記特定マークの有無の変化点を検出し（ＳＴ１８ａ）、
検出された前記特定マークの変化点で前記デジタルコンテンツの再生範囲を区切る（エントリポイントを打つ）ことでチャプタ分割する（ＳＴ２４ａ，ＳＴ３４ａ）チャプタ分割方法。
【００７７】
（２）＜ＷＭ／ＣＣＩ発生で制御フラグオフならチャプタ分割し制御フラグオン：ＷＭ／ＣＣＩ先頭でチャプタ分割＞
前記特定マーク（ＷＭ／ＣＣＩ）の検出状況を示す変数として制御フラグを設け、前記制御フラグの初期値は前記特定マーク（ＷＭ／ＣＣＩ）が検出されていないことを示すオフ値（“０”）とし（ＳＴ１６ａ）、
前記特定マーク（ＷＭ／ＣＣＩ）が検出されたら（ＳＴ１８ａＹ）前記制御フラグを参照し、前記制御フラグが前記オフ値（“０”）であったなら前記チャプタ分割を実施して（ＷＭ／ＣＣＩ先頭でエントリポイントを打つ：ＳＴ２４ａ）、前記制御フラグを前記特定マーク（ＷＭ／ＣＣＩ）が検出されたことを示すオン値（“１”）とする（ＳＴ２６ａ）ように構成した（１）のチャプタ分割方法。
【００７８】
（３）＜ＷＭ／ＣＣＩ消失で制御フラグオンならチャプタ分割し制御フラグオフ：ＷＭ／ＣＣＩ末尾でチャプタ分割＞
前記特定マーク（ＷＭ／ＣＣＩ）が検出されなくなった場合（ＳＴ１８ａＮ）に前記制御フラグを参照し、前記制御フラグがオン値（“１”）であったなら前記チャプタ分割を実施して（ＷＭ／ＣＣＩ末尾でエントリポイントを打つ：ＳＴ３４ａ）、前記制御フラグをオフ値（“０”）とする（ＳＴ３６ａ）ように構成した（２）のチャプタ分割方法。
【００７９】
（４）＜ＷＭ／ＣＣＩ検出区間設定方法＞
前記デジタルコンテンツのチャプタ分割点における再生位置をエントリポイントとするときに、
前記制御フラグが前記オフ値（“０”）のときの前記チャプタ分割（ＳＴ２４ａ）により前記特定マーク（ＷＭ／ＣＣＩ）の付いたコンテンツの先頭エントリポイント（図１１のＥＰ１またはＥＰ３）を生成し、
前記制御フラグが前記オン値（“１”）のときの前記チャプタ分割（ＳＴ３４ａ）により前記特定マーク（ＷＭ／ＣＣＩ）の付いたコンテンツの末尾エントリポイント（図１１のＥＰ２またはＥＰ４）を生成し、
前記先頭エントリポイント（図１１のＥＰ１またはＥＰ３）から前記末尾エントリポイント（図１１のＥＰ２またはＥＰ４）までの間を前記特定マーク（ＷＭ／ＣＣＩ）の検出区間として設定する（ＳＴ３８ａ）ように構成した（３）のチャプタ分割方法。
【００８０】
（５）＜ＷＭ／ＣＣＩ検出区間のチャプタの自動削除方法＞
前記特定マーク（ＷＭ／ＣＣＩ）が付いたコンテンツのチャプタを削除するモードを設け、このモードでは、前記特定マーク（ＷＭ／ＣＣＩ）の検出区間に相当するチャプタを削除する（図１０のＳＴ５０〜ＳＴ５２）ように構成した（４）のチャプタ分割方法。
【００８１】
（６）＜ＷＭ／ＣＣＩ付チャプタの表示方法＞
前記特定マーク（ＷＭ／ＣＣＩ）に関係した文字、記号または図形を、前記チャプタ分割が実施されたチャプタの名称表示（プライマリテキスト）または画像表示（サムネール）に付ける（図１３、図１４）ように構成した（１）のチャプタ分割方法。
【００８２】
（７）＜ＷＭ／ＣＣＩ検出アラートモード設定＞
前記特定マーク（ＷＭ／ＣＣＩ）の検出を知らせるアラートモードを設け、このアラートモードに入っているときに前記特定マーク（ＷＭ／ＣＣＩ）が検出されたときは（ＳＴ２０ａＹ）、所定時間（数秒）、画像（ＯＳＤ）および／または音声で前記特定マーク（ＷＭ／ＣＣＩ）の検出を知らせる（ＳＴ２１ａ）ように構成した（１）のチャプタ分割方法。
【００８３】
（８）＜ＷＭ／ＣＣＩ自動チャプタ分割モード設定＞
前記特定マーク（ＷＭ／ＣＣＩ）の有無の変化点において前記チャプタ分割を自動的に実行する自動チャプタ分割モード（図７の設定）を設け、このモードに入っている（図９のＳＴ１３ｂＹ）ときにだけ前記チャプタ分割を自動的に行うことができるように構成した（１）のチャプタ分割方法。
【００８４】
（９）＜（１）に対応する映像装置＞
電子すかし（ＷＭ）またはコピー制御情報（ＣＣＩ）を特定マークとするときに、この特定マーク（ＷＭ／ＣＣＩ）が付いたビデオ／オーディオデータを含むデジタルコンテンツを記録または再生する装置（図１）であって、前記デジタルコンテンツの記録または再生中に前記特定マークの有無の変化点を検出手段（１２０１）と、検出された前記特定マークの変化点で前記デジタルコンテンツの再生範囲を区切る（エントリポイントを打つ）ことでチャプタ分割する手段（１２０３）を具備した映像装置。
【００８５】
なお、この発明は前述した実施の形態に限定されるものではなく、実施段階ではその要旨を逸脱しない範囲で種々に変形することが可能である。また、各実施形態は可能な限り適宜組み合わせて実施してもよく、その場合組み合わせた効果が得られる。更に、上記実施形態には種々の段階の発明が含まれており、開示される複数の構成要件における適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。
【図面の簡単な説明】
【００８６】
【図１】この発明の一実施の形態に係る映像記録再生装置の概略構成を示すブロック図。
【図２】再生中におけるWaterMark/CopyControlInformation自動チャプタ分割の仕組みを説明する図。
【図３】再生中のWaterMark自動チャプタ分割の実施結果の一例を説明する図。
【図４】WaterMark区間自動削除の実施結果の一例を説明する図。
【図５】WaterMark一括編集モード（自動チャプタ分割＋自動削除）の実施結果の一例を説明する図。
【図６】録画（記録）中におけるWaterMark/CopyControlInformation自動チャプタ分割の仕組みを説明する図。
【図７】WaterMark/CopyControlInformation自動チャプタ分割設定メニューの一例を説明する図。
【図８】再生中または録画中におけるWaterMark/CopyControlInformation検出による自動チャプタ分割処理の一例を説明するフローチャート図。
【図９】再生中または録画中におけるWaterMark/CopyControlInformation検出による自動チャプタ分割処理の他例を説明するフローチャート図。
【図１０】WaterMark/CopyControlInformation検出区間のチャプタを削除する処理の一例を説明するフローチャート図。
【図１１】チャプタ分割の概念を説明する図。
【図１２】コンテンツ管理情報テーブルの一例を説明する図。
【図１３】WaterMark/CopyControlInformation検出区間のチャプタが削除される前のチャプタ一覧を例示する図。
【図１４】WaterMark/CopyControlInformation検出区間のチャプタが削除された後のチャプタ一覧を例示する図。
【符号の説明】
【００８７】
１０…記録媒体、１００…映像記録再生装置、１１０…メモリ部、１１０１…制御フラグメモリ、１１０２…エントリポイントメモリ、１２０…全体制御部、１２０１…WaterMark/CCI検出部、１２０２…WaterMark/CCI位置情報取得部、１２０３…チャプタ情報設定部（コンテンツ制御部）、１２０４…WaterMark/CCI対応出力信号制御部、１２０５…チャプタ一覧画像生成部、１３０…録再信号処理部、１３０１…出力部、２００…外部機器（映像表示装置等）。
【図１】
2010097665.tif 000003
【図２】
2010097665.tif 000004
【図３】
2010097665.tif 000005
【図４】
2010097665.tif 000006
【図５】
2010097665.tif 000007
【図６】
2010097665.tif 000008
【図７】
2010097665.tif 000009
【図８】
2010097665.tif 000010
【図９】
2010097665.tif 000011
【図１０】
2010097665.tif 000012
【図１１】
2010097665.tif 000013
【図１２】
2010097665.tif 000014
【図１３】
2010097665.tif 000015
【図１４】
2010097665.tif 000016